(57)【要約】【課題】ガスボンベが災害等によって流失し、または、紛失、盗難によって行方が分からなくなった場合に、その所在を探索して回収のために確実に対応することができるボンベ式ガス供給装置を提供する。【解決手段】ボンベ式ガス供給装置は、供給弁付きガスボンベ（２）と、その据置用の保持部材（２ａ）とから構成され、上記ガスボンベ（２）が上記保持部材（２ａ）から離脱したことを検出する離脱検出部（１５）と、その検出に応じて起動される電源供給部（１３）と、この電源供給部（１３）の起動によって所在位置情報を発信する位置情報発信部（１１，１２）とを設けることにより、流失等によってもその所在を把握でき、回収等の対応を可能とするものである。【選択図】図２
2013171331.tif 000002
【特許請求の範囲】
【請求項１】
供給弁付きガスボンベと、その据置用の保持部材とからなるボンベ式ガス供給装置において、
上記ガスボンベが上記保持部材から離脱したことを検出する離脱検出部と、その検出に応じて起動される電源供給部と、この電源供給部の起動によって所在位置情報を発信する位置情報発信部とを設けたことを特徴とするボンベ式ガス供給装置。
【請求項２】
前記位置情報発信部は、電源供給部の起動により所定の時間間隔で給電する間欠制御部を備えることを特徴とする請求項１記載のボンベ式ガス供給装置。
【請求項３】
前記位置情報発信部は、電源供給部の起動により所定時間の経過後から給電する時間差制御部を備えることを特徴とする請求項１記載のボンベ式ガス供給装置。
【請求項４】
前記電源供給部は、その作動と停止を切替えるための切替スイッチを備えたことを特徴とする請求項１から請求項３のいずれかに記載のボンベ式ガス供給装置。
【請求項５】
前記ガスボンベは、前記離脱検出部の検出に応じてガス供給を停止する閉止弁を前記供給弁の供給路に介設することを特徴とする請求項１から請求項３のいずれかに記載のボンベ式ガス供給装置。
【発明の詳細な説明】
【技術分野】
【０００１】
本発明は、所定配置のガスボンベから接続配管によってガスを供給するボンベ式ガス供給装置に関するものである。
【背景技術】
【０００２】
ボンベ式ガス供給装置は、一部のガスを除き、一般に危険物としてのボンベ管理が義務づけられており、ガス充填所、配送所、供給場所等の間の移動を正確に管理する必要があり、例えば、特許文献１の如く、データ発信体をガス容器に取り付け、データ中継装置によって無線中継することにより、ガス容器の所在地管理を行うガス容器管理システムが知られている。このガス容器管理システムにより、紛失、盗難の防止とともに、帳簿管理等による転記ミスを招くことなく、内容物を含むガス容器の管理が可能となる。
【先行技術文献】
【特許文献】
【０００３】
【特許文献１】特許４４６０３３８号公報
【発明の概要】
【発明が解決しようとする課題】
【０００４】
しかしながら、上記ガス容器管理システムによる所在管理は、データ中継装置が配置された所定の管理領域内に限られることから、災害等によってガス容器が管理領域外に流失した場合や、紛失、盗難によって行方が分からなくなった場合に対処することができないという問題がある。
【０００５】
本発明の目的は、ガスボンベが災害等によって流失し、または、紛失、盗難によって行方が分からなくなった場合に、その所在を探索して回収のために確実に対応することができるボンベ式ガス供給装置を提供することにある。
【課題を解決するための手段】
【０００６】
請求項１に係る発明は、供給弁付きガスボンベと、その据置用の保持部材とからなるボンベ式ガス供給装置において、上記ガスボンベが上記保持部材から離脱したことを検出する離脱検出部と、その検出に応じて起動される電源供給部と、この電源供給部の起動によって所在位置情報を発信する位置情報発信部とを設けたことを特徴とする。
【０００７】
請求項２に係る発明は、請求項１に係る発明において、前記位置情報発信部は、電源供給部の起動により所定の時間間隔で給電する間欠制御部を備えることを特徴とする。
【０００８】
請求項３に係る発明は、請求項１または請求項２に係る発明において、前記位置情報発信部は、電源供給部の起動により所定時間の経過後から給電する時間差制御部を備えることを特徴とする。
【０００９】
請求項４に係る発明は、請求項１から請求項３のいずれかに係る発明において、前記電源供給部は、その作動と停止を切替えるための切替スイッチを備えたことを特徴とする。
【００１０】
請求項５に係る発明は、請求項１から請求項４のいずれかに係る発明において、前記ガスボンベは、前記離脱検出部の検出に応じてガス供給を停止する閉止弁を前記供給弁の供給路に介設することを特徴とする。
【発明の効果】
【００１１】
請求項１に係る発明により、ガスボンベが保持部材から離脱すると、離脱検出部の検出に応じて電源供給部が起動されるとともに、位置情報発信部が所在位置情報を発信することから、その所在位置情報によって所在位置を把握することができる。したがって、保持部材からガスボンベが離脱した場合にその所在位置の探索が可能となり、その回収のために対応することができる。
【００１２】
請求項２に係る発明により、請求項１に係る発明の効果に加え、所定の時間間隔で給電制御する間欠制御部により位置情報発信部が所定の時間間隔で所在位置情報を発信することから、電源消費が抑えられて長期に及ぶ位置情報の発信が可能となるので、災害等による一括大量流失の場合にあっても個別対応の探索による全数回収が可能となる。
【００１３】
請求項３に係る発明により、請求項１に係る発明の効果に加え、時間差制御部により位置情報発信部が電源供給部の起動から所定時間の経過によって所在位置情報を発信することから、その時間内においては、特段の操作を要することなく、ボンベの移動等の取扱いが可能となる。
請求項４に係る発明により、請求項１から請求項３のいずれかに係る発明の効果に加え、切替スイッチの操作により電源供給部を停止することができるので、随時の機能停止操作により、ガス充填のためのボンベの移動を含む幅広い取扱に対応することができる。
【００１４】
請求項５に係る発明により、請求項１から請求項４のいずれかに係る発明の効果に加え、ガスボンベが保持部材から離脱すると閉止弁が作動してガス供給が停止されることから、災害によって接続配管が破損した場合にあっても、ガス放出による危険の回避ならびに内蔵ガスの回収が可能となる。
【図面の簡単な説明】
【００１５】
【図１】ボンベ式ガス供給装置の構成図
【図２】位置発信装置の機能ブロック図
【発明を実施するための形態】
【００１６】
上記技術思想に基づいて具体的に構成された実施の形態について以下に図面を参照しつつ説明する。
本発明に係るボンベ式ガス供給装置１は、図１にその構成図を示すように、据置用の保持部材２ａによって安定保持したガスボンベ２と、このガスボンベ２の内蔵ガスの吐出をハンドル３ａによって調節する供給弁３と、出口配管が破損したときに閉止する過流出防止機能を有する閉止弁４ａを介してガスを供給する接続配管４とから構成され、さらにハンドル３ａには位置発信装置５を一体に備えてガス供給を行う。ガスボンベ２は、必要に応じて格納容器６を設けて収容する。また、閉止弁４ａは、必要により供給弁３と一体に構成する。
【００１７】
位置発信装置５は、図２にその機能ブロック図を示すように、現在位置を検出する位置検出部１１と、その位置情報を無線送信する発信部１２およびそのアンテナ１２ａを中心に構成され、これら位置検出部１１および発信部１２には、間欠制御部１４ａと時間差制御部１４ｂとによって位置情報の発信機能を制限する供給制御部１４を介して電源供給部１３を接続し、この電源供給部１３には、内蔵バッテリからの給電の起動と停止を切替える離脱検出部１５および切替スイッチ１６を設ける。
【００１８】
位置検出部１１と発信部１２とによって位置情報発信部を構成し、位置検出部１１は、ＧＰＳ電波を受信して現在地を検出し、発信部１２は、位置検出部１１から受けた位置情報を公衆データ回線網等の所定の受信部に対してアンテナ１２ａから送信する。電源供給部１３は、位置検出部１１、発信部１２および供給制御部１４に給電する。
【００１９】
供給制御部１４は、一方の間欠制御部１４ａによって所定の時間間隔で電源供給することにより資源消費を抑えて長期に亘る位置情報の発信を可能とし、他方の時間差制御部１４ｂによって電源供給部１３の起動から所定の時間を経た後に電源供給することにより、その間の位置情報の発信機能を停止する。
【００２０】
離脱検出部１５は、ガスボンベ２の位置検出用のリミットスイッチ等によって構成し、ガスボンベ２が保持部材２ａからの離脱によって電源供給部１３を起動し、また、正常の据置状態への復帰検出によって電源供給部１３を停止する。また、切替スイッチ１６は、随時のオン・オフ切替え操作に応じて電源供給部１３の起動と停止を切替える。
【００２１】
上述の構成によるボンベ式ガス供給装置１は、所定の据置保管場所にて保持部材２ａに据置いた上で供給弁３から接続配管４を介してガス供給を行い、また、所定の充填所に持ち帰って液化ガス等を充填し、配送を経て繰返して使用される。
【００２２】
このようなボンベ式ガス供給装置の取扱いは、一部のガスを除き、一般に危険物としての管理が義務づけられており、紛失、盗難、さらには災害による流失等によってガスボンベが行方不明となった場合は、離脱検出部１５によって位置発信装置５が作動することから、ボンベ２の存在位置を探索して回収のための対応が可能となる。
【００２３】
この場合において、位置発信装置５は、間欠制御部１４ａによって所定の時間間隔で電源供給することにより内蔵バッテリの消費を抑えて長期に亘る位置情報の発信がなされることから、長期に及ぶ位置情報の発信が可能となるので、災害等による一括大量流失事故に際しても個別対応の探索による全数回収が可能となる。
【００２４】
また、位置発信装置５は、時間差制御部１４ｂによって電源供給部１３の起動から所定の時間を経た後に電源供給することにより、その間の位置情報の発信機能を停止することから、発信停止のための煩わしい操作を要することなく、ガスボンベ２の移動等の取扱いが可能となる。
【００２５】
また、切替スイッチ１６の操作により電源供給部１３を停止することができるので、随時の発信機能停止の操作により、ガス充填のためのガスボンベ２の移動から例外的取扱までを含む幅広い対応が可能となる。
【００２６】
また、離脱検出部１５の検出に応じてガス供給を遮断する閉止弁４ａを接続配管４等の供給弁３の供給路に介設することにより、ガスボンベ２が保持部材２ａから離脱すると閉止弁４ａが作動してガス供給が停止されることから、災害によって接続配管４が破損した場合にあっても、ガス供給状態におけるガスボンベ２からのガス放出による危険の回避ならびに内蔵ガスの回収が可能となる。
【００２７】
次に、ガスボンベ２の据置保管場所に給電設備を備える場合について説明すると、ガスボンベ２が保持部材２ａに据置保管されている場所の近傍に給電設備を設け、この地上側の給電設備によって充電するように、電源供給部１３の内蔵バッテリを充電型として構成し、また、ガスボンベ２の重量を検知するばね秤、ロードセル、リミットスイッチ等を保持部材２ａに設けて離脱検出部１５を構成することにより上記同様に位置発信装置５を構成する。さらに、閉止弁４ａは、破損対応の過流出防止機能と合わせて電源喪失に応じて出口配管を閉止する電磁弁機能を設けてボンベ式ガス供給装置を構成する。
【００２８】
このように、地上側の給電設備によって電源供給部１３の内蔵バッテリを常時充電することができることから、長期に亘る電源供給部１３の機能が確保され、災害によるガスボンベの流失に際してその位置情報を確実に発信することができる。したがって、この位置情報による所在の把握とともに、ガス供給状態におけるガスボンベ２からのガス放出による危険の回避ならびに内蔵ガスの回収が可能となる。
【符号の説明】
【００２９】
１      ボンベ式ガス供給装置
２      ガスボンベ
２ａ    保持部材
３      供給弁
３ａ    ハンドル
４      接続配管
４ａ    閉止弁
５      位置発信装置
１１    位置検出部（位置情報発信部）
１２    発信部（位置情報発信部）
１３    電源供給部
１４    供給制御部
１４ａ  間欠制御部
１４ｂ  時間差制御部
１５    離脱検出部
１６    切替スイッチ
【図１】
2013171331.tif 000003
【図２】
2013171331.tif 000004